(57)【要約】      （修正有）【課題】ディスプレイモジュールのコストと体積を減少するとともに輝度を向上する。【解決手段】ディスプレイモジュールは、ディスプレイパネル１２、２枚の偏光板１１ａ，１１ｂ、光学機能性フィルム１３ａ、ライティングコンポーネント１４、導光板１５、反射板１６から組み立てられ、光学機能性フィルム１３ａはさらに第一転換層１３１、第二転換層１３３、拡散層１３５、輝度向上層及び偏光層からなり、コーティングの製造方法によって貼り付けることを特徴とする。【選択図】図２
2016130840.tif 000002
【特許請求の範囲】
【請求項１】
ディスプレイモジュールに具備される光学機能性フィルムであって、
上側偏光板、下側偏光板、ディスプレイパネル、ライティングコンポーネント、導光板、反射板から組み立てられ、
上側偏光板をディスプレイパネルの上の表面に貼り付け、下側偏光板をディスプレイパネルの下の表面に貼り付け、導光板が反射板上に配置され、ライティングコンポーネントは導光板と反射板の側に配置され、ライティングコンポーネントから点光源を反射板に反射すると、反射板が点状光源を導光板に反射してから、導光板が点状光源を受けてから点光源の光線進行方向に向けた後、光学機能性フィルムに点状光源を湧出し、ディスプレイモジュールは光学機能性フィルムがあり、光学機能性フィルムの下の表面が導光板に配置され、光学機能性フィルムの上の表面を下側偏光板の下の表面に配置され、その光学機能性フィルムの厚さが約０．４ｍｍから１．４ｍｍであり、光学機能性フィルムが第一転換層、第二転換層及び拡散層があり、この第一転換層には上の表面と下の表面があり、この第一転換層の上の表面がプリズム構造で、下の表面が平坦な表面であり、第一転換層が導光板から発光された点状光源を線状光源に転換してから第二転換層に輸出し、第一転換層が上の表面と下の表面があり、この第二転換層の上の表面がプリズム構造で、下の表面が平坦な表面であり、第二転換層を第一転換層に配置され、この第二転換層は第一転換層から輸出された線状光源を面状光源に転換してから拡散層に輸出するためのものであり、この拡散層は平坦な上の表面と平坦な下の表面があり、この拡散層は第二転換層に配置され、この拡散層は第二転換層から輸出された面状光源を均一な光線にして、面状光源がより均一な光線になることを特徴とする、
ディスプレイモジュールに具備される光学機能性フィルム。
【請求項２】
第一転換層の上の表面の縁部と第二転換層の下の表面の縁部を貼り付けると、第一転換層の上の表面と第二転換層の下の表面との間に空隙が形成され、拡散層の平坦な下の表面の縁部と第二転換層の上の表面の縁部を貼り付けると、拡散層の平坦な下の表面と第二転換層の上の表面との間に空隙が形成されることを特徴とする、請求項１に記載のディスプレイモジュールに具備される光学機能性フィルム。
【請求項３】
輝度向上層があり、そして輝度向上層には平坦な上の表面と平坦な下の表面があり、輝度向上層の平坦な下の表面と拡散層の平坦な上の表面との間に第一光学接着剤を貼ってあることを特徴とする、請求項２に記載のディスプレイモジュールに具備される光学機能性フィルム。
【請求項４】
偏光層があり、偏光層には平坦な上の表面と平坦な下の表面があり、偏光層の平坦な下の表面と輝度向上層の平坦な上の表面との間に第二光学接着剤を貼ってあり、偏光層の上の表面が下側偏光板の下の表面に配置されることを特徴とする、請求項３に記載のディスプレイモジュールに具備される光学機能性フィルム。
【請求項５】
第一転換層の上の表面と第二転換層の下の表面との間に第三光学接着剤を貼ってあり、第一転換層の上の表面と第二転換層の下の表面との間に空隙がなく、拡散層の平坦な下の表面と第二転換層の上の表面との間に第四光学接着剤を貼ってあり、拡散層の平坦な下の表面と第二転換層の上の表面との間に空隙がないことを特徴とする、請求項１に記載のディスプレイモジュールに具備される光学機能性フィルム。
【請求項６】
輝度向上層があり、輝度向上層には平坦な上の表面と平坦な下の表面があり、輝度向上層の平坦な下の表面と拡散層の平坦な上の表面との間に第五光学接着剤が貼ってあることを特徴とする、請求項５に記載のディスプレイモジュールに具備される光学機能性フィルム。
【請求項７】
偏光層があり、偏光層には平坦な上の表面と平坦な下の表面があり、偏光層の平坦な下の表面と輝度向上層の平坦な上の表面との間に第六光学接着剤を貼ってあり、偏光層の上の表面が下側偏光板の下の表面に配置されることを特徴とする、請求項６に記載のディスプレイモジュールに具備される光学機能性フィルム。
【請求項８】
第一光学接着剤が屈折率マッチング接着剤であることを特徴とする、請求項３に記載のディスプレイモジュールに具備される光学機能性フィルム。
【請求項９】
第二光学接着剤が屈折率マッチング接着剤であることを特徴とする、請求項４に記載のディスプレイモジュールに具備される光学機能性フィルム。
【請求項１０】
第三光学接着剤が屈折率マッチング接着剤であることを特徴とする、請求項５に記載のディスプレイモジュールに具備される光学機能性フィルム。
【請求項１１】
第五光学接着剤が屈折率マッチング接着剤であることを特徴とする、請求項６に記載のディスプレイモジュールに具備される光学機能性フィルム。
【請求項１２】
第六光学接着剤が屈折率マッチング接着剤であることを特徴とする、請求項７に記載のディスプレイモジュールに具備される光学機能性フィルム。
【請求項１３】
光学機能性フィルムの製造方法であって、
光学機能性フィルムの下の表面がディスプレイモジュールの導光板に配置され、光学機能性フィルムの上の表面がディスプレイモジュールの下側偏光板の下の表面に配置され、第一転換層を提供し、第一転換層には上の表面と下の表面があり、また第一転換層の上の表面はプリズム構造であり、プリズムの頂角が４０〜１４０度の範囲にあり、第一転換層の下の表面が平坦な表面であり、点状光源を線状光源に転換でき、第二転換層を提供し、第二転換層には上の表面と下の表面があり、第二転換層の上の表面はプリズム構造であり、第二転換層下の表面は平坦な表面であり、第二転換層は線状光源を面状光源に転換でき、第二転換層は第一転換層に配置され、第一転換層の上の表面の縁部を第二転換層の下の表面の縁部にコーティングの製造方法で貼り付け、第一転換層の上の表面の縁部と第二転換層の下の表面の縁部との間に空隙が形成され、上の表面と下の表面のある拡散層を提供し、この拡散層は第二転換層から輸出された面状光源を均一な光線にしてから、拡散層が第二転換層に配置され、第二転換層の上の表面の縁部を拡散層の下の表面の縁部にコーティングの製造方法によって貼り付け、拡散層の下の表面の縁部と第二転換層の上の表面の縁部との間に空隙が形成されることを特徴とする、
光学機能性フィルムの製造方法。
【請求項１４】
更に次のようなステップが含まれ、輝度向上層を提供し、輝度向上層には上の表面と下の表面があり、コーティングの製造方法によって輝度向上層の下の表面をエアギャップなしで光学接着剤で拡散層の上の表面に貼り付けることを特徴とする、請求項１３に記載の光学機能性フィルムの製造方法。
【請求項１５】
更に次のようなステップが含まれ、偏光層を提供し、偏光層には上の表面と下の表面があり、コーティングの製造方法によって偏光層の下の表面をエアギャップなしで光学接着剤で輝度向上層の上の表面に貼り付けることを特徴とする、請求項１４に記載の光学機能性フィルムの製造方法。
【請求項１６】
更に次のようなステップが含まれ、第一転換層と第二転換層との間の空隙を第一光学接着剤で充填してから、第二転換層と拡散層との間の空隙を第二光学接着剤で充填することを特徴とする、請求項１３に記載の光学機能性フィルムの製造方法。
【請求項１７】
更に次のようなステップが含まれ、輝度向上層を提供し、輝度向上層には上の表面と下の表面があり、コーティングの製造方法によって輝度向上層の平坦な下の表面をエアギャップなしで光学接着剤で拡散層の上の表面に貼り付けることを特徴とする、請求項１６に記載の光学機能性フィルムの製造方法。
【請求項１８】
更に次のようなステップが含まれ、偏光層を提供し、偏光層には上の表面と下の表面があり、コーティングの製造方法によって偏光層の下の表面をエアギャップなしで光学接着剤で輝度向上層の上の表面に貼り付けることを特徴とする、請求項１７に記載の光学機能性フィルムの製造方法。
【発明の詳細な説明】
【技術分野】
【０００１】
本発明は、ディスプレイモジュールに係り、特にディスプレイモジュールに具備される光学機能性フィルム及びその製造方法に関する。
【背景技術】
【０００２】
目前に液晶表示装置は現在広い範囲でポータブルディスプレイ、デスクトップディスプレイ、車両用デスクプディスレイに使用されている。
ポータブルディスプレイは携帯電話、カメラ、およびパネルコンピュータなどであり、デスクトップディスプレイはテレビ、デスクトップコンピュータ、ラップトップコンピュータなどである。車両用デスクプディスレイは衛星ナビゲーション、自動車のインストルメントパネル及び車両用データ記録装置などである。液晶表示装置は容易に運ぶや配置するために体積が薄くて重量を軽くすることが必要であり、液晶表示装置の容積を減少させることはこれからの重要な課題のひとつである。
【０００３】
また、ディスプレイモジューのルバックライトモジュールはライティングコンポーネント、導光板、光変換フィルム、拡散フィルムと輝度向上フィルムから組み立てる。光変換フィルム、拡散フィルムと輝度向上フィルムは個々の光学部品である。したがって、これらの光学部品の組み立てにおいては、これらの光学部品とのマッチングと光学特性を最大化することを考慮しなければならない。
組み立ての時に、エアギャップもこれらの光学部品の中に存在しているから、液晶ディスプレイの全体の厚さを増加させる。また、エアギャップがあって、光散乱及び反射で光の強度を損失してから液晶ディスプレイの輝度も減少される。その結果、これらの光学部品の全体の厚みを薄くしても、ディスプレイの明るさを低下させないことを目前に解決すべきである。
【発明の概要】
【発明が解決しようとする課題】
【０００４】
本発明はディスプレイモジュールに具備される光学機能性を提供する。光学機能性フィルムには第一変換層、第二変換層、輝度向上層、拡散層及び偏光層が含まれ、コーティングの工程および屈折率の合わせによって光学機能性フィルムの各組み立て物を整合する。従って、ディスプレイモジュールの輝度を低下させず、光学機能性フィルムの厚さ及び全体ディスプレイモジューの体積が低減される。
【課題を解決するための手段】
【０００５】
ディスプレイモジュールに具備される光学機能性フィルムは上側偏光板、下側偏光板、ディスプレイパネル、ライティングコンポーネント、導光板、反射板から組み立てられる。上側偏光板をディスプレイパネルの上の表面に貼り付け、下側偏光板をディスプレイパネルの下の表面に貼り付ける。導光板は反射板上に配置される。ライティングコンポーネントは導光板と反射板の側に配置される。ライティングコンポーネントから点光源を反射板に反射すると、反射板は点状光源を導光板に反射してから、導光板は点状光源を受けてから点光源の光線進行方向に向けた後、光学機能性フィルムに点状光源を輸出する。その特徴は、ディスプレイモジュールに光学機能性フィルムがあり、そして導光板が光学機能性フィルムの下の表面に配置され、光学機能性フィルムの上の表面が下側偏光板の下の表面に配置される。光学機能性フィルムは第一転換層、第二転換層及び拡散層がある。第一転換層の上の表面はプリズム構造で、第二転換層の下の表面は平坦な表面で、第二転換層を第一の転換層の上に配置される。第二転換層は第一転換層からの線状光源を面光源に転換する。拡散層は平坦な上の表面および平坦な下の表面があり、拡散層は第一転換層の上に配置される。拡散層は第二転換層から輸出される面状光源を均一な光線にする。
【０００６】
上記の目的に基づいて、本発明は光学機能性フィルムの製造方法を提供する。
光学機能性フィルムの下の表面をディスプレイモジュールの導光板に配置する。光学機能性フィルムの上の表面をディスプレイモジュールの下側偏光板の下の表面に貼り付ける。そして、第一転換層を提供する。第一転換層は上の表面と下の表面がある。そして第一転換層の上の表面がプリズム構造で、プリズムの頂角が４０〜１４０度の範囲である。第一転換層の下の表面は平坦な表面で、点状光源を線状光源に転換する。第二転換層を提供する。第二転換層は上の表面と下の表面がある。そして第二転換層の上の表面がプリズム構造である。第二転換層の下の表面は平坦な表面である。第二転換層は第一転換層から転換された線状光源を面状光源に転換する。コーティングの製造方法によって第二転換層を第一転換層に貼り付ける。第一転換層の上の表面の縁部を第二転換層の下の表面の縁部にコーティングの製造方法で貼り付け、第一転換層の上の表面の縁部と第二転換層の下の表面の縁部との間に空隙が形成される。拡散層を提供する。拡散層は平坦な上の表面と平坦な下の表面がある。この拡散層は第二転換層から輸出された面状光源を均一な光線にする。拡散層を第二転換層に配置され、第二転換層の上の表面の縁部を拡散層の下の表面の縁部にコーティングの製造方法によって貼り付け、拡散層の下の表面の縁部と第二転換層の上の表面の縁部との間に空隙が形成される。
【０００７】
本発明のディスプレイモジュールに具備される光学機能性フィルム及びその製造方法によって、コーティング工程および屈折率マッチングの方式で、光学機能性フィルムの各部材（第一転換層、第二転換層、輝度向上層、拡散層、偏光層）を合わせて、ディスプレイモジュールの輝度を低下させず、光学機能性フィルムの厚さが低減され、更にディスプレイモジュールの全体の体積も低減される。
【図面の簡単な説明】
【０００８】
【図１】本発明の実施形態による例示的なディスプレイモジュールの断面側面図である。
【図２】本発明の実施形態による例示的なディスプレイモジュールの実施例１の断面側面図である。
【図３】本発明の実施形態による例示的なディスプレイモジュールの光学機能性フィルムの第一の転換層と第二の転換層を示す図である。
【図４】本発明の実施形態による例示的なディスプレイモジュールの実施例２の断面側面図である。
【図５】本発明の実施形態による例示的なディスプレイモジュールの実施例３の断面側面図である。
【図６】本発明の実施形態による例示的なディスプレイモジュールの実施例４の断面側面図である。
【図７】本発明の実施形態による例示的なディスプレイモジュールの実施例５の断面側面図である。
【図８】本発明の実施形態による例示的なディスプレイモジュールの実施例６の断面側面図である。
【図９】本発明の実施形態による例示的なディスプレイモジュールの実施例１，３の光学機能性フィルムの製造方法の流れ図である。
【図１０】本発明の実施形態による例示的なディスプレイモジュールの実施例２，４の光学機能性フィルムの製造方法の流れ図である。
【図１１】本発明の実施形態による例示的なディスプレイモジュールの実施例５の光学機能性フィルムの製造方法の流れ図である。
【図１２】本発明の実施形態による例示的なディスプレイモジュールの実施例６の光学機能性フィルムの製造方法の流れ図である。
【発明を実施するための形態】
【０００９】
図１に示すように、本発明のディスプレイモジュールは上側偏光板１１ａ、下側偏光板１１ｂ、ディスプレイパネル１２、光学機能性フィルム１３、ライティングコンポーネント１４、導光板１５と反射板１６から組み立てられる。
上側偏光板１１ａがディスプレイパネル１２の上の表面に貼り付けられ、下側偏光板１１ａがディスプレイパネル１２の下の表面に貼り付けられ、導光板１５が反射板１６に配置される。
ライティングコンポーネント１４が導光板１５と反射板１６の側に配置され、光学機能性フィルム１３の下の表面が導光板１５に貼り付けまたは配置され、光学機能性フィルム１３の上の表面が下側偏光板１１ｂの下の表面に貼り付けまたは配置され、ライティングコンポーネント１４から点状光源の光線を反射板１６に発光し、反射板１６が点状光源の光線を導光板１５に反射し、導光板１５が反射された点状光源を光線の進行方向に向け、点状光源を光学機能性フィルム１３に輸出し、光学機能性フィルム１３が点状光源を面状光源に転換し、下側偏光板１１ｂが光学機能性フィルム１３から輸出された面状光源を偏光し、偏光された面状光源をディスプレイモジュール１２に輸出し、ディスプレイモジュール１２が画像をディスプレイし、上側偏光板１１ａがディスプレイモジュール１２の画像を偏光する。
【００１０】
本明細書に記載する点状光源は点のような光源から発行された光線である。線状光源というのは線のような光源から発行された光線である。面状光源というのは面のような光源から発行された光線である。
【００１１】
図２に示すように、本発明のディスプレイモジュールは上側偏光板１１ａ、下側偏光板１１ｂ、ディスプレイパネル１２、光学機能性フィルム１３、ライティングコンポーネント１４、導光板１５と反射板１６から組み立てられる。
上側偏光板１１ａがディスプレイパネル１２の上の表面に貼り付けられ、導光板１５を反射板１６に配置され、ライティングコンポーネント１４を導光板１５と反射板１６の側に配置され、光学機能性フィルム１３ａの上の表面が下側偏光板１１ｂに貼り付け或いは配置され、下側偏光板１１ｂの上の表面がディスプレイパネル１２の下の表面に貼り付けられる。
ライティングコンポーネント１４から点状光源の光線を反射板１６に発光し、反射板１６が点状光源の光線を導光板１５に反射し、導光板１５が反射された点状光源を光線の進行方向に向け、導光板１５がガイドされた点状光源を光学機能性フィルム１３ａに輸出し、光学機能性フィルム１３ａが点状光源を線状光源に転換し、線状光源を面状光源に転換し、均一な光線にした後、下側偏光板１１ｂに輸出する。下側偏光板１１ｂが光学機能性フィルム１３から輸出された面状光源を偏光し、偏光された面状光源をディスプレイモジュール１２に輸出し、ディスプレイモジュール１２が画像をディスプレイし、上側偏光板１１ａがディスプレイモジュール１２の画像を偏光する。
【００１２】
さらに図２を参照されたい。光学機能膜１３ａは第一転換層１３１、第二転換層１３３と拡散層１３５がある。第一転換層１３１には上の表面と下の表面があり、第二転換層１３３には上の表面と下の表面があり、拡散層１３５には平坦な上の表面と平坦な下の表面がある。
第一転換層１３１の上の表面と第二転換層１３３の上の表面は両方ともプリズム構造体であり（図３に示す）、プリズム角が４０〜１４０度の範囲である。
第一転換層１３１の上の表面の縁部と第二転換層１３３の平坦な下の表面の縁部をコーティングの製造方法によって貼り付けられるので、第一転換層１３１の上の表面と第二転換層１３３の下の表面の間に空隙１３２ａが形成される。拡散層１３５の平坦な下の表面の縁部はコーティングの製造方法によって第二転換層１３３の上の表面の縁部に貼り付けられるので、拡散層１３５の下の表面と第二転換層１３３の上との間に空隙１３４ａが形成される。拡散層１３５の上の表面が下側偏光板１１ｂの下の表面に貼り付けまたは配置される。
第一転換層１３１はライティングコンポーネント１４から発光された点状光源を線状光源に転換する。第二転換層１３３は第一転換層１３１から転換された線状光源を面状光源に転換する。第二転換層１３３は面状光源を拡散層１３５に輸出し、拡散層１３５が第二転換層１３３から輸出された面状光源を受けてから均一な光線にして、拡散層１３５が均一した光線を下側偏光板１１ｂに輸出する。下側偏光板１１ｂが拡散層１３５から輸出された面状光源を偏光し、偏光された面状光源をディスプレイモジュール１２に輸出し、ディスプレイモジュール１２が画像をディスプレイし、上側偏光板１１ａが画像を偏光する。
【００１３】
図４に示すように、実施例２と実施例１の主な違いは次の通りである。実施例２の光学機能膜１３’ａには第一転換層１３１、第二転換層１３３と拡散層１３５がある。第一転換層１３１には上の表面と下の表面があり、第二転換層１３３には上の表面と下の表面があり、拡散層１３５には平坦な上の表面と平坦な下の表面があり、第一転換層１３１と第二転換層１３３の上の表面は両方ともプリズム構造体であり（図３に示す）、プリズム角が４０〜１４０度の範囲である。
第一転換層１３１の上の表面の縁部と第二転換層１３３の平坦な下の表面の縁部をコーティングの製造方法によって貼り付けられるので、第一転換層１３１の上の表面と第二転換層１３３の下の表面の間に空隙が形成され、その空隙に光学接着剤１３２’ａが充填される。すなわち、第一転換層１３１の上の表面を光学接着剤１３２’ａで、エアギャップなしでのコーティングの製造方法によって第二転換層１３３の平坦な下の表面と貼り付ける。拡散層は平坦な下の表面を光学接着剤１３２’ａで、エアギャップなしでのコーティングの製造方法によって第二転換層１３３の上の表面と貼り付ける。拡散層１３５は平坦な上の表面を光学接着剤１３４’ａで、エアギャップなしでのコーティングの製造方法によって下側偏光板１１ｂの下の表面に貼り付け或いは配置される。
第一転換層１３１はライティングコンポーネント１４から発光された点状光源を線状光源に転換する。第二転換層１３３は第一転換層１３１から転換された線状光源を面状光源に転換する。第二転換層１３３は面状光源を拡散層１３５に輸出し、拡散層１３５が第二転換層１３３から輸出された面状光源を受けてから均一な光線にして、拡散層１３５が均一した光線を下側偏光板１１ｂに輸出し、下側偏光板１１ｂが拡散層１３５から輸出された面状光源を偏光し、偏光された面状光源をディスプレイモジュール１２に輸出し、ディスプレイモジュール１２が画像をディスプレイし、上側偏光板１１ａが画像を偏光する。
【００１４】
図５に示すように、実施例３と実施例１の主な違いは次の通りである。
実施例３の光学機能膜１３ｂには第一転換層１３１、第二転換層１３３、拡散層１３５と輝度向上層１３７がある。第一転換層１３１には上の表面と下の表面があり、第二転換層１３３には上の表面と下の表面があり、拡散層１３５には平坦な上の表面と平坦な下の表面があり、輝度向上層１３７には平坦な上の表面と平坦な下の表面がある。
第一転換層１３１の上の表面と第二転換層１３３の上の表面は両方ともプリズム構造体であり（図３に示す）、プリズム角が４０〜１４０度の範囲である。
第一転換層１３１の上の表面の縁部と第二転換層１３３の平坦な下の表面の縁部をコーティングの製造方法によって貼り付けられるので、第一転換層１３１の上の表面と第二転換層１３３の下の表面の間に空隙１３２ｂが形成される。拡散層１３５の平坦な下の表面の縁部はコーティングの製造方法によって第二転換層１３３の上の表面との間に空隙１３４ｂがあるので、輝度向上層１３７の下の表面を光学接着剤１３６ｂで、エアギャップなしでのコーティングの製造方法によって拡散層１３５の上の表面に貼り付けまたは配置される。輝度向上層１３７の上の表面を下側偏光板１１ｂの下の表面に貼り付ける。
第一転換層１３１はライティングコンポーネント１４から発光された点状光源を線状光源に転換し、第二転換層１３３に輸出する。第二転換層１３３は第一転換層１３１から転換された線状光源を面状光源に転換する。第二転換層１３３は面状光源を拡散層１３５に輸出し、拡散層１３５が第二転換層１３３から輸出された面状光源を受けた後、均一な光線にしてから輝度向上層１３７に輸出する。輝度向上層１３７は均一な光線にされた拡散層の輝度を向上する。輝度向上層１３７は輝度の向上された面状光源を下側偏光板１１ｂに輸出する。下側偏光板１１ｂが面状光源を受けた後、面状光源を偏光してからディスプレイモジュール１２に輸出し、ディスプレイモジュール１２が画像をディスプレイし、上側偏光板１１ａが画像を偏光する。
【００１５】
図６に示すように、実施例４と実施例１の主な違いは次の通りである。実施例４の光学機能膜１３’ｂには第一転換層１３１、第二転換層１３３、拡散層１３５と輝度向上層１３７がある。第一転換層１３１には上の表面と下の表面があり、第二転換層１３３には上の表面と下の表面があり、拡散層１３５には平坦な上の表面と平坦な下の表面があり、輝度向上層１３７には平坦な上の表面と平坦な下の表面がある。
第一転換層１３１の上の表面と第二転換層１３３の上の表面は両方ともプリズム構造体であり（図３に示す）、プリズム角が４０〜１４０度の範囲である。
第一転換層１３１の上の表面の縁部と第二転換層１３３の平坦な下の表面の縁部をコーティングの製造方法によって貼り付けられるので、第一転換層１３１の上の表面と第二転換層１３３の下の表面を光学接着剤１３２’ｂで、エアギャップなしでのコーティングの製造方法によって拡散層１３５の上の表面に貼り付け或いは配置される。拡散層１３５の平坦な下の表面を光学接着剤１３４’ｂで、エアギャップなしでのコーティングの製造方法によって第二転換層１３３の上の表面に貼り付ける。輝度向上層１３７の下の表面を光学接着剤１３６’ｂで、エアギャップなしでのコーティングの製造方法によって拡散層１３５の上の表面に貼り付ける。輝度向上層１３７の上の表面を下側偏光板１１ｂの下の表面に貼り付ける。
第一転換層１３１はライティングコンポーネント１４から発光された点状光源を線状光源に転換する。第二転換層１３３は第一転換層１３１から転換された線状光源を面状光源に転換する。第二転換層１３３は面状光源を拡散層１３５に輸出し、拡散層１３５が第二転換層１３３から輸出された面状光源を受けてから均一な光線にして、拡散層１３５が均一した光線を輝度向上層１３７に輸出する。輝度向上層１３７は拡散層１３５からうけた面状光源の輝度を向上させる。輝度向上層１３７は輝度の向上された面状光源を下側偏光板１１ｂに輸出する。下側偏光板１１ｂが面状光源を受けた後、面状光源を偏光してからディスプレイモジュール１２に輸出し、ディスプレイモジュール１２が画像をディスプレイし、上側偏光板１１ａが画像を偏光する。
【００１６】
図７に示すように、実施例５と実施例１の主な違いは次の通りである。実施例５の光学機能膜１３ｃには第一転換層１３１、第二転換層１３３、拡散層１３５、輝度向上層１３７と偏光層１３９がある。第一転換層１３１には上の表面と下の表面があり、第二転換層１３３には上の表面と下の表面があり、拡散層１３５には平坦な上の表面と平坦な下の表面があり、輝度向上層１３７には平坦な上の表面と平坦な下の表面があり、偏光層１３９には平坦な上の表面と平坦な下の表面がある。
第一転換層１３１の上の表面と第二転換層１３３の上の表面は両方ともプリズム構造体であり（図３に示す）、プリズム角が４０〜１４０度の範囲である。
第一転換層１３１の上の表面と第二転換層１３３の下の表面との間に空隙１３２ｃがあるので、拡散層１３５の平坦な下の表面の縁部はコーティングの製造方法によって第二転換層１３３の上の表面との間に空隙１３４ｃがあるので、輝度向上層１３７の下の表面を光学接着剤１３６ｃで、エアギャップなしでのコーティングの製造方法によって拡散層１３５の上の表面に貼り付ける偏光層１３９の上の表面を下側偏光板１１ｂの下の表面に貼り付ける。
第一転換層１３１はライティングコンポーネント１４から発光された点状光源を線状光源に転換する。第二転換層１３３は第一転換層１３１から転換された線状光源を面状光源に転換する。拡散層１３５が第二転換層１３３から輸出された面状光源を受けてから均一な光線にして、拡散層１３５が均一した光線を輝度向上層１３７に輸出する。輝度向上層１３７は拡散層１３５からうけた面状光源の輝度を向上させる。偏光層１３９は輝度が向上された輝度向上層１３７の面状光源を受けた後、面状光源を偏光光源に転換する。偏光層１３９は面状光源を下側偏光板１１ｂに輸出する。偏光された面状光源をディスプレイモジュール１２に輸出し、ディスプレイモジュール１２が画像をディスプレイし、上側偏光板１１ａが画像を偏光する。
【００１７】
図８に示すように、実施例６と実施例１の主な違いは次の通りである。
実施例５の光学機能膜１３’ｃには第一転換層１３１、第二転換層１３３、拡散層１３５、輝度向上層１３７と偏光層１３９がある。第一転換層１３１には上の表面と下の表面があり、第二転換層１３３には上の表面と下の表面があり、拡散層１３５には平坦な上の表面と平坦な下の表面があり、輝度向上層１３７には平坦な上の表面と平坦な下の表面があり、偏光層１３９には平坦な上の表面と平坦な下の表面がある。
第一転換層１３１の上の表面と第二転換層１３３の上の表面は両方ともプリズム構造体であり（図３に示す）、プリズム角が４０〜１４０度の範囲である。
第一転換層１３１の上の表面と第二転換層１３３の下の表面との間に光学接着剤１３２’ｃで、エアギャップなしでのコーティングの製造方法によって貼り付ける。拡散層１３５の平坦な上の表面に光学接着剤１３４’ｃでエアギャップなしでのコーティングの製造方法によって第二転換層１３３の上の表面に貼り付ける。輝度向上層１３７の下の表面に光学接着剤１３６’ｃで、エアギャップなしでのコーティングの製造方法によって拡散層１３５の上の表面に貼り付ける。偏光層１３９の下の表面を光学接着剤１３８’ｃでエアギャップなしでのコーティングの製造方法によって輝度向上層１３７の上の表面に貼り付ける。偏光層１３９の上の表面を下側偏光板１１ｂの下の表面に貼り付ける。
第一転換層１３１はライティングコンポーネント１４から発光された点状光源を線状光源に転換する。第二転換層１３３は第一転換層１３１から転換された線状光源を面状光源に転換する。拡散層１３５が第二転換層１３３から輸出された面状光源を受けてから均一な光線にして、拡散層１３５が均一した光線を輝度向上層１３７に輸出する。輝度向上層１３７は拡散層１３５からうけた面状光源の輝度を向上させる。偏光層１３９は輝度が向上された輝度向上層１３７の面状光源を受けた後、面状光源を偏光光源に転換する。偏光層１３９は面状光源を下側偏光板１１ｂに輸出する。偏光された面状光源をディスプレイモジュール１２に輸出し、ディスプレイモジュール１２が画像をディスプレイし、上側偏光板１１ａが画像を偏光する。
【００１８】
図２及び図９を参照されたい。
先ず、ステップＳ１について、第一転換層１３１を提供する。第一転換層１３１には上の表面と下の表面がある。第一転換層１３１は点状光源を線状光源に転換できる。第一転換層１３１の上の表面はプリズム構造であり、プリズムの頂角が４０〜１４０度の範囲にある（図３に示す）。第一転換層１３１の上の表面は平坦な表面である。
そして、次のステップＳ２について、第二転換層１３３を提供する。第二転換層１３３には上の表面と下の表面がある。第二転換層１３３の上の表面はプリズム構造であり、プリズムの頂角が４０〜１４０度の範囲にある（図３に示す）。第二転換層１３３の下の表面は平坦な表面である。第一転換層１３１の上の表面の縁部と第二転換層１３３の下の表面の縁部を貼り付けた後、第一転換層１３１の上の表面と第二転換層１３３の下の表面との間に空隙１３２ａがあり、そして第二転換層１３３は点状光源を線状光源に転換できる。
それからステップＳ３について、拡散層１３５を提供する。拡散層１３５には上の表面と下の表面がある。拡散層１３５の平坦な下の表面の縁部をコーティングの製造方法によって第二転換層１３３の上の表面に貼り付けた後、拡散層１３５と第二転換層１３３との間に空隙１３４ａがある。そして、第一転換層１３１、第二転換層１３３と拡散層１３５を結合した後、光学機能性フィルム１３ａになる。
【００１９】
図４及び図１０を参照されたい。
先ず、ステップＳ’１について、第一転換層１３１を提供する。第一転換層１３１には上の表面と下の表面がある。第一転換層１３１は点状光源を線状光源に転換できる。第一転換層１３１の上の表面はプリズム構造であり、プリズムの頂角が４０〜１４０度の範囲にある（図３に示す）。第一転換層１３１の下の表面は平坦な表面である。
そして、次のステップＳ’２について、第二転換層１３３を提供する。第二転換層１３３には上の表面と下の表面がある。第二転換層１３３の上の表面はプリズム構造であり、プリズムの頂角が４０〜１４０度の範囲にある（図３に示す）。第二転換層１３３の下の表面は平坦な上の表面である。第一転換層１３１の上の表面の縁部と第二転換層１３３の下の表面の縁部を貼り付けた後、第一転換層１３１の上の表面を第二転換層１３３の下の表面に光学接着剤１３２’ａで貼り付け、エアギャップなしでのコーティングの製造方法によって第二転換層１３３の下の表面に貼り付ける。そして第二転換層１３３は線状光源を面状光源に転換できる。
それからステップＳ’３について、拡散層１３５を提供する。拡散層１３５の平坦な下の表面を光学接着剤１３４ｃ’でエアギャップなしでのコーティングの製造方法によって第二転換層１３３の上の表面に貼り付ける。そして、第一転換層１３１、第二転換層１３３と拡散層１３５を結合した後、光学機能性フィルム１３’ａになる。
【００２０】
図５及び図９を参照されたい。
先ず、ステップＳ１について、第一転換層１３１を提供する。第一転換層１３１には上の表面と下の表面がある。第一転換層１３１の上の表面はプリズム構造であり、プリズムの頂角が４０〜１４０度の範囲にある（図３に示す）。第一転換層１３１の下の表面は平坦な表面である。第一転換層１３１は点状光源を線状光源に転換できる。そして、
次のステップＳ２について、第二転換層１３３を提供する。第二転換層１３３には上の表面と下の表面がある。第二転換層１３３の上の表面はプリズム構造であり、プリズムの頂角が４０〜１４０度の範囲にある（図３に示す）。第二転換層１３３の下の表面は平坦な表面である。第一転換層１３１の上の表面の縁部と第二転換層１３３の下の表面の縁部を貼り付けた後、第一転換層１３１の上の表面と第二転換層１３３の下の表面との間に空隙１３２ｂがあり、そして第二転換層１３３は線状光源を面状光源に転換できる。
それからステップＳ３について、拡散層１３５を提供する。拡散層１３５には平坦な上の表面と下の表面がある。拡散層１３５の平坦な下の縁部をコーティングの製造方法によって第二転換層１３３の縁部に貼り付けた後、拡散層１３５と第二転換層１３３との間に空隙１３４ｂがある。
最後に、ステップＳ４について、輝度向上層１３７を提供する。輝度向上層１３７には平坦な上の表面と平坦な下の表面がある。輝度向上層１３７の下の表面を光学接着剤１３６ｂでエアギャップなしでコーティングの製造方法によって拡散層１３５の上の表面に貼り付ける。そして、第一転換層１３１、第二転換層１３３、拡散層１３５と輝度向上層１３７を結合した後、光学機能性フィルム１３ｂになる。
【００２１】
図６及び図１０を参照されたい。
先ず、ステップＳ’１について、第一転換層１３１を提供する。第一転換層１３１には上の表面と下の表面がある。第一転換層１３１の上の表面はプリズム構造であり、プリズムの頂角が４０〜１４０度の範囲にある（図３に示す）。第一転換層１３１は点状光源を線状光源に転換できる。
そして、次のステップＳ’２について、第二転換層１３３を提供する。第二転換層１３３には上の表面と下の表面がある。第二転換層１３３の上の表面はプリズム構造であり、プリズムの頂角が４０〜１４０度の範囲にある（図３に示す）。第二転換層１３３の下の表面は平坦な表面である。第一転換層１３１の上の表面を光学接着剤１３２’ｂでエアギャップなしでコーティングの製造方法によって第二転換層１３３の下の表面に貼り付ける。そして第二転換層１３３は線状光源を面状光源に転換できる。
それからステップＳ’３について、拡散層１３５を提供する。拡散層１３５には平坦な上の表面と平坦な下の表面がある。拡散層１３５の下の表面を光学接着剤１３４’  ｂでエアギャップなしでのコーティングの製造方法によって第二転換層１３３の上の表面に貼り付ける。
最後に、ステップＳ‘４について、輝度向上層１３７を提供する。輝度向上層１３７には平坦な上の表面と平坦な下の表面がある。輝度向上層１３７の下の表面を光学接着剤１３６’ｂでエアギャップなしでコーティングの製造方法によって拡散層１３５の上の表面に貼り付ける。そして、第一転換層１３１、第二転換層１３３、拡散層１３５と輝度向上層１３７を結合した後、光学機能性フィルム１３’ｂになる。
【００２２】
図７及び図１１を参照されたい。
先ず、ステップＳ’’１について、第一転換層１３１を提供する。第一転換層１３１には上の表面と下の表面がある。第一転換層１３１の上の表面はプリズム構造であり、プリズムの頂角が４０〜１４０度の範囲にある（図３に示す）。第一転換層１３１は点状光源を線状光源に転換できる。
そして、次のステップＳ’’２について、第二転換層１３３を提供する。第二転換層１３３には上の表面と下の表面がある。第二転換層１３３の上の表面はプリズム構造であり、プリズムの頂角が４０〜１４０度の範囲にある（図３に示す）。第二転換層１３３の下の表面は平坦な表面である。第一転換層１３１の上の表面の縁部を第二転換層１３３の下の表面の縁部に貼り付けた後、第一転換層１３１の上の表面と第二転換層１３３の下の表面との間に空隙１３２ｃがあり、そして第二転換層１３３は線状光源を面状光源に転換できる。
それからステップＳ’’３について、拡散層１３５を提供する。拡散層１３５の平坦な下の表面の縁部をコーティングの製造方法によって第二転換層１３３の上の表面に貼り付けた後、拡散層１３５と第二転換層１３３との間に空隙１３４ｃがある。
次のステップＳ’’４について、輝度向上層１３７を提供する。輝度向上層１３７には平坦な上の表面と平坦な下の表面がある。輝度向上層１３７の下の表面を光学接着剤１３６ｃでエアギャップなしでコーティングの製造方法によって拡散層１３５の上の表面に貼り付ける。
最後に、ステップＳ５’’について、偏光層１３９を提供する。偏光層１３９には平坦な上の表面と平坦な下の表面がある。偏光層１３９の下の表面を光学接着剤１３８ｃでエアギャップなしでコーティングの製造方法によって輝度向上層１３７の上の表面に貼り付ける。第一転換層１３１、第二転換層１３３、拡散層１３５、輝度向上層１３７と偏光層１３９を結合した後、光学機能性フィルム１３ｃになる。
【００２３】
図８及び図１２を参照されたい。
先ず、ステップＳ’’’１について、第一転換層１３１を提供する。第一転換層１３１には上の表面と下の表面がある。第一転換層１３１の上の表面はプリズム構造であり、プリズムの頂角が４０〜１４０度の範囲にある（図３に示す）。第一転換層１３１の下の表面が平坦な表面であり、点状光源を線状光源に転換できる。
そして、次のステップＳ’’’２について、第二転換層１３３を提供する。第二転換層１３３には上の表面と下の表面がある。第二転換層１３３の上の表面はプリズム構造であり、プリズムの頂角が４０〜１４０度の範囲にある（図３に示す）。第二転換層１３３の下の表面は平坦な表面である。第一転換層１３１の上の表面を光学接着剤１３２’ｃでエアギャップなしでコーティングの製造方法によって第二転換層１３３の下の表面に貼り付ける。そして第二転換層１３３は線状光源を面状光源に転換できる。
それからステップＳ３’’’について、拡散層１３５を提供する。拡散層１３５には平坦な上の表面と平坦な下の表面がある。拡散層１３５の下の表面を光学接着剤１３４’ｃでエアギャップなしでのコーティングの製造方法によって第二転換層１３３の上の表面に貼り付ける。
最後に、ステップＳ’’’４について、輝度向上層１３７を提供する。輝度向上層１３７には平坦な上の表面と平坦な下の表面がある。輝度向上層１３７の下の表面を光学接着剤１３６’ｃでエアギャップなしでコーティングの製造方法によって拡散層１３５の上の表面に貼り付ける。
最後に、ステップＳ５’’’について、偏光層１３９を提供する。偏光層１３９には平坦な上の表面と平坦な下の表面がある。偏光層１３９の下の表面を光学接着剤１３８’ｃでエアギャップなしでコーティングの製造方法によって輝度向上層１３７の上の表面に貼り付ける。第一転換層１３１、第二転換層１３３、拡散層１３５、輝度向上層１３７と偏光層１３９を結合した後、光学機能性フィルム１３’ｃになる。
【００２４】
上記の本発明の実施例では第一の転換層１３１および第２の転換層１３３の材料は高分子ポリマーであり、例えば樹脂、アクリル樹脂等、本発明には制限がない。
【００２５】
本発明の前述の実施例では光学接着剤１３２’ａ、１３４’ａ、１３６ｂ、１３２’ｂ、１３４’ｂ、１３６’ｂ、１３６ｃ、１３８ｃ、１３２’ｃ、１３４’ｃ、１３６’ｃ、１３８’ｃは屈折率マッチング接着剤である。
第一転換層１３１と第二転換層との間の光学接着剤は１３２’ａ、１３２’ｂ、１３２’ｃであり、屈折率が約１．３５から１．４８である。第二転換層１３３と拡散層１３５との間の光学接着剤は１３４’ａ、１３４’ｂ、１３４’ｃであり、屈折率が約１．３５から１．４８である。輝度向上層１３７と偏光層１３９との間の光学接着剤は１３８ｃ、１３８’ｃであり、屈折率が約１．４８から１．５２である。拡散層１３５と輝度向上層１３７との間の光学接着剤は１３６ｂ、１３６’ｂ、１３６ｃ、１３６’ｃであり、屈折率が約１．４８から１．５２である。屈折率マッチングにより、上記の各実施例の第一転換層１３１と第二転換層１３３、輝度向上層１３７と偏光層１３９、拡散層１３５と輝度向上層１３７、第二転換層１３３と拡散層１３５との間はしっかり貼り付けられる。
コーティングの製造方式により、光学機能性フィルム１３、１３ａ，１３’ａ，１３ｂ，１３’ｂ，１３ｃ，１３’ｃの第一転換層１３１、第二転換層１３３、拡散層１３５、輝度向上層１３７と偏光層１３９が一体に結合され、光学機能性フィルム１３ａ，１３’ａ，１３ｂ，１３’ｂ，１３ｃ，１３’ｃの厚さが減少される。さらに、ディスプレイモジュールの全体積は５０％−６０％の量を低減することができる。但し、ディスプレイモジュールの輝度を低下させないことである。上記の実施例では、偏光層１３９が含まれる場合、光学機能フィルム１３Ｃ、１３’ｃの全体の厚さは０．４ｍｍから１．４ｍｍである。偏光層１３９が含まれない場合、光学機能フィルム１３ａ，１３’ａ，１３ｂ，１３’ｂの全体の厚さは０．６ｍｍから１．２ｍｍである。
【００２６】
上記の実施例で、縁部貼り付けの方法で、光学機能フィルム１３ａ，１３ｂ，１３ｃは第一転換層１３１と第二転換層１３３、第二転換層１３３と拡散層１３５との間にエアギャップを形成し、熱膨張及び収縮の問題を低減することもでき、ディスプレイモジュールの信頼性を高めることができるので、ディスプレイの輝度或いはディスプレイのコントラストに影響を与えない。
【００２７】
上記の実施例では上側偏光板１１ａ、下側偏光板１１ｂ、または偏光層１３９は偏光することができるライティングコンポーネントであり、例えば、直線偏光板、楕円偏光板、または円偏光等であり、本発明には制限がない。
【００２８】
上記の実施例で、ディスプレイパネル１２というのは液晶パネルで、ディスプレイモジュールは発光ダイオードディスプレイである。本発明のディスプレイは携帯用ディスプレイ、デスクトップのディスプレイ又は車両ディスプレイを含んでいる。ポータブルディスプレイは携帯電話、カメラ、およびパネルコンピュータである。デスクトップディスプレイはテレビ、デスクトップコンピューター及びラップトップコンピューターがある。車両用ディスプレイ装置は衛星ナビゲーション、自動車のインストルメントパネル及び車両用データ記録装置であり、本発明には制限がない。ライティングコンポーネントは発光ダイオード（ＬＥＤ）、冷陰極蛍光ランプ（ＣＣＦＬ）、またはエレクトロルミネセント（ＥＬ）であるが、本発明には制限がない。
【図１】
2016130840.tif 000003
【図２】
2016130840.tif 000004
【図３】
2016130840.tif 000005
【図４】
2016130840.tif 000006
【図５】
2016130840.tif 000007
【図６】
2016130840.tif 000008
【図７】
2016130840.tif 000009
【図８】
2016130840.tif 000010
【図９】
2016130840.tif 000011
【図１０】
2016130840.tif 000012
【図１１】
2016130840.tif 000013
【図１２】
2016130840.tif 000014